(57)【要約】本発明は、繰り返して分解し組み立てられるポータブルスプリングベッドを公開し、ベッド本体、枠、スプリング、クッションからなり、ベッド本体が分解し組み立てることができ、使用する時にベッド本体を張りあげ、スプリングが取り外してベッド本体に取り付けことができ、クッションはスプリングの上に敷く；梱包状態ではスプリングを取り外して重ね合わせ、ベッド本体を数個ユニットに分解し、スプリング組、ベッド本体の部品、クッション三者を組み合わせて梱包あるいはそれぞれ個別的に梱包できる。ベッド本体、スプリング、クッションが自由に数回繰り返して分解し使用でき、梱包体積が小さくなり、自動車のトランクに入れられ、携帯に便利である。ベッド本体がスプリング組を支えて、湿気を避けることができる。スプリング組、クッションが柔らかくて、睡眠の快適感を増やす。【選択図】図２
2017532183.tif 000002
【特許請求の範囲】
【請求項１】
ベッド本体、スプリング、クッションからなり、ベッド本体が分解し組み立てられ、その特徴としては：使用する時にベッド本体を張り上げ、スプリング取り外してベッド本体に取り付けることができ、クッションをスプリングの上に敷く；梱包状態ではスプリングを取り外して一緒に重ね合わせ、ベッド本体を幾つかのユニットに分解しして、スプリング組、ベッド本体のユニット、クッション三者を組み合わせて梱包あるいはそれぞれ個別的に梱包することができることを特徴とする繰り返して分解し組み立てられるポータブルスプリングベッド。
【請求項２】
前記ベッド本体は支え脚、枠、及びクロスバーからなり、枠が支え脚より支えられ、クロスバーを二本枠の間に架け、クロスバーに若干の固定ブロックを設け、前記スプリングが取り外して固定ブロックに取り付けることができることを特徴とする請求項１に記載の繰り返して分解し組み立てられるポータブルスプリングベッド。
【請求項３】
前記スプリング  をクロスバーにスナップフィットまたは螺着することができることを特徴とする請求項２に記載の繰り返して分解し組み立てられるポータブルスプリングベッド。
【請求項４】
前記枠の頂面にリミットブロックを設け、クロスバー取り外してリミットブロックとスナップフィッことがトできることを特徴とする請求項２に記載の繰り返して分解し組み立てられるポータブルスプリングベッド。
【請求項５】
前記スプリング組は若干蛇状スプリングからなり、前記ベッド本体は支え脚、枠からなり、枠が支え脚より支えられ、蛇状スプリングを枠にフックして繋げることを特徴とする請求項１に記載の繰り返して分解し組み立てられるポータブルスプリングベッド。
【請求項６】
前記ベッド本体は支え脚、枠やワイヤー網からなり、枠が支え脚より支えられ、前記ワイヤー網は若干鋼線からなり、ワイヤー本体を二本枠の間に架け、二本ワイヤーの間に若干固定ブロックを設け、スプリングが取り外して固定ブロックに取り付けることができることを特徴とする請求項１に記載の繰り返して分解し組み立てられるポータブルスプリングベッド。
【請求項７】
前記ベッド本体は支え脚、枠及びクロスバーからなり、枠が支え脚より支えられ、また平板も含み、平板をベッド本体の上に敷き、平板には若干の固定ブロックを設け、前記スプリングが取り外して固定ブロックに取り付けることができることを特徴とする請求項１に記載の繰り返して分解し組み立てられるポータブルスプリングベッド。
【請求項８】
前記ベッド本体は支え脚、枠やクロスバーからなり、枠が支え脚より支えられ、またプラスチック板も含み、プラスチック板をベッド本体の上に敷き、プラスチック板には若干凹みがあり、スプリングを同凹みに設けていることを特徴とする請求項１に記載の繰り返して分解し組み立てられるポータブルスプリングベッド。
【請求項９】
使用する時にクッションカバーをスプリング組の上に敷き、フックやマジックテープでクッションを固定することを特徴とする請求項１に記載の繰り返して分解し組み立てられるポータブルスプリングベッド。
【請求項１０】
ベッド本体、スプリング、クッションからなり、ベッド本体が分解し組み立てることができ、前記ベッド本体は支え脚、枠やクロスバーからなり、枠が支え脚より支えられ、その特徴としては；クロスバーを二本枠の間に架け、クロスバー一本毎あるいは隣接する二本クロスバーの間に若干の固定ブロックを設け、前記スプリングが取り外して固定ブロックにスナップフィットことができ、前記固定ブロックは対称に設置された2つのスナップフィット端子からなり、前記スナップフィット端子でスプリングの底部を抑える；使用する時に、ベッド本体を張り上げ、スプリングが取り外してクロスバーの固定ブロックに取り付けることができ、クッションをスプリングの上に敷くことを特徴とする繰り返して分解し組み立てられるポータブルスプリングベッド。
【請求項１１】
固定ブロックの2つのスナップフィット端子を一体にして隣接する二本クロスバーに架け、または固定ブロックの2つのスナップフィット端子をそれぞれ独立的に二本クロスバーに固定することを特徴とする請求項１０に記載の繰り返して分解し組み立てられるポータブルスプリングベッド。
【請求項１２】
前記枠の頂面にリミットブロックを設け、リミットブロックの両側それぞれ内側に曲げてフック部になり、フック部がクロスバーを引っかけることを特徴とする請求項１１に記載の繰り返して分解し組み立てられるポータブルスプリングベッド。
【請求項１３】
固定ブロックの2つのスナップフィット端子の向かい合う側にスプリングを引っ掛けるスロットを設けていることを特徴とする請求項１１に記載の繰り返して分解し組み立てられるポータブルスプリングベッド。
【請求項１４】
固定ブロックの2つのスナップフィット端子を同じクロスバーに設け、スナップフィット端子の外側にスプリングを引っかける弧状スロットを設けていることを特徴とする請求項１０に記載の繰り返して分解し組み立てられるポータブルスプリングベッド。
【請求項１５】
クロスバーの端部に挿し繋ぎ部を設け、挿し繋ぎ部が枠に挿し込んで繋げることを特徴とする請求項１０に記載の繰り返して分解し組み立てられるポータブルスプリングベッド。
【請求項１６】
このクッションの底部には一重スポンジを付けていることを特徴とする請求項１０に記載の繰り返して分解し組み立てられるポータブルスプリングベッド。
【請求項１７】
ベッド本体、スプリング、クッションからなり、ベッド本体が分解し組み立てることができ、前記ベッド本体は支え脚、枠及びクロスバーからなり、枠が支え脚より支えられ、その特徴としては、クロスバーを二本枠の間に架け、クロスバー毎に若干固定ブロックを設け、前記スプリングが取り外して固定ブロックに螺着することができ、前記固定ブロックの外部表面に止め輪を設け、前記止め輪でスプリングの底部を抑える；使用する時にベッド本体を張り上げ、スプリングをクロスバーの上に取り付け、クッションをスプリング組の上に敷く；梱包状態では、一組クロスバー付きスプリングを独立的に分解し、ベッド本体を幾つのユニットに分解し、前記クロスバー付きスプリング組、ベッド本体の部品、クッション三者を組み合わせて梱包あるいはそれぞれ個別的に梱包することができることを特徴とする繰り返して分解し組み立てられるポータブルスプリングベッド。
【請求項１８】
ベッド本体、枠、スプリング、クッションからなり、ベッド本体が分解し組み立てられることができ、前記ベッド本体は支え脚、枠からなり、枠が支え脚より支えられ、特徴としては：またプラスチック板も含み、プラスチック板をベッド本体の上に敷き、プラスチック板には若干凹みがあり、前記スプリングを凹み内に設け、使用する時にベッド本体を張り上げ、プラスチック板を敷き、スプリングで述べた凹み内に設置して、クッションをスプリング組に敷くことを特徴とする繰り返して分解し組み立てられるポータブルスプリングベッド。
【請求項１９】
前記ベッド本体はクロスバーからなり、クロスバー本体を二本枠の間に架け、プラスチック板をクロスバーの上に架けることを特徴とする請求項１８に記載の繰り返して分解し組み立てられるポータブルスプリングベッド。
【請求項２０】
前記プラスチック板が数枚から組み合わせていることを特徴とする請求項１８に記載の繰り返して分解し組み立てられるポータブルスプリングベッド。
【請求項２１】
ベッド本体、スプリング組、クッションからなり、ベッド本体が分解し組み立てることができ、前記ベッド本体は支え脚、枠からなり、枠が支え脚より支えられ、その特徴としては：平板も含み、平板を枠に敷き、平板には若干固定ブロックを設け、前記スプリングが取り外して固定ブロックとスナップフィットまたは螺着することができる；使用する時にベッド本体を張り上げ、スプリングが取り外して平板の固定ブロックに取り付けることができ、クッションをスプリング組の上に敷くことを特徴とする繰り返して分解し組み立てられるポータブルスプリングベッド。
【請求項２２】
ベッド本体、スプリング組、クッションからなり、ベッド本体が分解し組み立てることができ、前記ベッド本体は支え脚、枠やワイヤー網からなり、枠が支え脚より支えられ、その特徴としては：前記ワイヤー網には若干ワイヤーからなり、ワイヤー本体を二本枠の間に架け、二本ワイヤーの間に若干固定ブロックを設け、スプリングが取り外して固定ブロックとスナップフィットまたは螺着することができることを特徴とする繰り返して分解し組み立てられるポータブルスプリングベッド。
【請求項２３】
ワイヤーの端部が下に折り曲げて繋ぎセクションとなり、前記繋ぎセクションを枠内に挿入することを特徴とする請求項２２に記載の繰り返して分解し組み立てられるポータブルスプリングベッド。
【請求項２４】
ベッド本体、スプリング組、クッションからなり、ベッド本体が分解し組み立てることができ、前記ベッド本体は支え脚、枠からなり、枠が支え脚より支えられ、その特徴としては：前記のスプリング組が若干蛇状スプリングからなり、枠の内側には固定ブロックを設け、蛇状スプリングが取り外して固定ブロックにフック繋げることができる；使用する時に、ベッド本体を張り上げ、スプリングが取り外してベッド本体に取り付けることができ、クッションをスプリング組の上に敷くことを特徴とする繰り返して分解し組み立てられるポータブルスプリングベッド。
【発明の詳細な説明】
【技術分野】
【０００１】
本発明は、スプリングベッド、特に繰り返して分解し組み立てられるポータブルスプリングベッドに関する。
【背景技術】
【０００２】
今の都市生活のリズムがますます速くなり、人々の作業プレッシャーもますます大きくなり、キャンプ、マイカー旅行などアウトドアレジャー活動はますます人々の好感を受けている。通常、人々が外でキャンプをする時、マットや寝袋に寝るしかなく、地面が硬くてかつ凸凹不平で、寝心地が悪い。また、地面で湿気が酷くて、体を冷えやすく、背中の痛みを招きやすく、特に腰椎、頚椎の具合が良くない人、さらには地面で寝てはならない。それに、夜中に雨などが降ったら、人はどこにも隠れることができない。ベッドはこれまで長い間最高の寝る積載道具であるが、既存のアウトドアベッドが輸送に不便で、一部が分解し組み立てられるよう実現しているにもかかわらず、ベッドの使用効果が割引されている。
【発明の概要】
【発明が解決しようとする課題】
【０００３】
本発明は、繰り返して分解し組み立てられるポータブルスプリングベッドを提供し、背景技術に書かれる不足を克服している。本発明は、その技術問題を解決するには下記のごとく技術案を講じた：
【課題を解決するための手段】
【０００４】
繰り返して分解し組み立てられるポータブルスプリングベッドで、ベッド本体、スプリング組、クッションからなり、ベッド本体が分解し組み立てることができ、その特徴としては：使用する時にベッド本体を張り上げ、スプリングを取り外してベッド本体に取り付けることができ、クッションはスプリングの上に敷くことができる；梱包状態ではスプリングを外して重ね合わせて、ベッド本体を数個ユニットに分解し、スプリング組、ベッド本体の部品、クッション三者を組み合わせ梱包あるいはそれぞれ個別梱包することもできる。
【０００５】
比較的良い実施例：前記ベッド本体は支え脚、枠、クロスバーからなり、枠が支え脚より支えられ、二本枠の間にクロスバーを架け、クロスバーに若干の固定ブロックを設け、前記スプリングを取り外して固定ブロックに取り付けることができる。
【０００６】
比較的良い実施例：前記スプリングをクロスバーにスナップフィット或いは螺合する。
【０００７】
比較的良い実施例：前記枠の頂面にリミットブロックを設け、クロスバーを取り外してリミットブロックとスナップフィットする。
【０００８】
比較的良い実施例：前記スプリング組は若干蛇状スプリングからなり、前記ベッド本体は支え脚、枠からなり、枠が支え脚より支えられ、蛇状スプリングが枠にフック繋ぎされている。
【０００９】
比較的良い実施例：前記ベッド本体は支え脚、枠及びワイヤー網からなり、枠が支え脚より支えされ、前記ワイヤー網が若干鋼線からなり、ワイヤー本体が二本枠の間に架けられ、二本ワイヤーの間に若干固定ブロックを設け、スプリングが取り外して固定ブロックに取り付けることができる。
【００１０】
比較的良い実施例：前記ベッド本体は支え脚、枠、クロスバーからなり、枠が支え脚より支えされ、また平板を含み、平板をベッド本体に敷き、平板には若干固定ブロックを設け、前記スプリングが取り外して固定ブロックに取り付けることができる。
【００１１】
比較的良い実施例：前記ベッド本体は支え脚、枠、クロスバーからなり、枠が支え脚より支えられ、またプラスチック板も含み、プラスチック板をベッド本体に敷き、プラスチック板には若干凹みがあり、スプリングを同凹み内に設置している。
【００１２】
比較的良い実施例：使用する時にクッションカバーをスプリング組の上に置き、フックやマジックテープ（登録商標）でクッションを固定する。
【００１３】
繰り返して分解し組み立てられるポータブルスプリングベッドで、ベッド本体、スプリング組、クッションからなり、ベッド本体が分解し組み立てることができ、前記ベッド本体は支え脚、枠、クロスバーからなり、枠が支え脚より支えられ、その特徴としては：クロスバー本体が二本枠の間に架けられ、1本毎のクロスバーにまたは隣接の数本クロスバーの間に若干の固定ブロックを設置し、前記スプリングが取り外して固定ブロックにスナップフィットすることができ、前記固定ブロックには対称に設置された2つスナップフィット端子を含み、前記スナップフィット端子でスプリングの底部を嵌めこむ；使用する時にベッド本体を張り上げ、スプリングが取り外してベッド本体に取り付けることができ、クッションをスプリング組の上に敷く。
【００１４】
比較的良い実施例：固定ブロックの2つのスナップフィット端子を一体にして隣接する二本クロスバーに架け、または固定ブロックの2つのスナップフィット端子をそれぞれ独立的に隣接するクロスバーに固定する。
【００１５】
比較的良い実施例：前記枠の頂面でリミットブロックを設置し、リミットブロックの両側が内側へ曲げてフック部になり、フック部がクロスバーを引っ掛ける。
【００１６】
比較的良い実施例：固定ブロックの2つスナップフィット端子と向かい合う一方にはスプリングを引っ掛けるスロットを設けている。
【００１７】
比較的良い実施例：固定ブロックの2つのスナップフィット端子を同じ一本クロスバーに設置し、スナップフィット端子の外側にはスプリングを引っ掛ける弧状スロットを設けている。
【００１８】
比較的良い実施例：クロスバーの端部に挿し繋げる部を設け、挿し繋げる部を枠と差し繋げる
【００１９】
比較的良い実施例：このクッションの底に一重スポンジを付けている。
【００２０】
繰り返して分解し組み立てられるポータブルスプリングベッドで、ベッド本体、スプリング組、クッションからなり、ベッド本体が分解し組み立てることができ、前記ベッド本体は支え脚、枠及びクロスバーからなり、枠が支え脚より支えられ、その特徴としては：クロスバー本体を二本枠の間に架け、クロスバー毎に若干の固定ブロックを設け、前記スプリングが取り外して固定ブロックと螺着できる。前記固定ブロックの外表面には止め輪を設け、この止め輪がプリングの底を引っかける；使用する時にベッド本体を張り上げ、スプリングが取り外してベッド本体に取り付けことができ、クッションをスプリング組に敷く。
【００２１】
繰り返して分解し組み立てられるポータブルスプリングベッドで、ベッド本体、スプリング組、クッションからなり、ベッド本体が分解し組み立てることができ、前記ベッド本体が支え脚、枠からなり、枠が支え脚に支えられ、その特徴としては：プラスチック板も含め、プラスチック板をベッド本体に敷いて、プラスチック板に若干凹みがあり、前記スプリングが取り外して凹みにスナップフィットできる；使用する時にベッド本体を張り上げ、スプリングが取り外しはベッド本体に取り付けることができ、クッションをスプリング組の上に敷く。
【００２２】
比較的良い実施例：前記ベッド本体はクロスバーからなり、クロスバー本体二本の間に架け、プラスチック板をクロスバーに架ける。
【００２３】
繰り返して分解し組み立てられるポータブルスプリングベッドで、ベッド本体、スプリング組、クッションからなり、ベッド本体が分解し組み立てることができ、前記ベッド本体は支え脚脚、枠からなり、枠が支え脚に支えられ、その特徴としては：また平板も含み、平板を枠に敷き、平板には若干固定ブロックを設け、前記スプリングが取り外して固定ブロックとスナップフィットまたは螺着できる；使用する時にベッド本体を張り上げ、スプリングが取り外してベッド本体に取り付けるとこができ、クッションをスプリング組に敷く。
【００２４】
繰り返して分解し組み立てられるポータブルスプリングベッドで、ベッド本体、スプリング組、クッションからなり、ベッド本体が分解し組み立てることができ、前記ベッド本体は支え脚、枠及びワイヤー網からなり、枠が支え脚に支えられ、その特徴としては：前記ワイヤー網は若干鋼線を含み、ワイヤー本体を二本枠の間に架け、二本ワイヤーの間に若干固定ブロックを設け、スプリングを取り外して固定ブロックとカードまたはスナップフィットまたは螺着できる；使用する時にベッド本体を張り上げ、スプリングが取り外してはベッド本体に取り付けることができ、クッションをスプリング組に敷く。
【００２５】
比較的良い実施例：ワイヤーの端部が下に折り曲げて繋ぎセクションとなり、前記繋ぎセクションを枠に挿入する。
【００２６】
繰り返して分解し組み立てられるポータブルスプリングベッドで、ベッド本体、スプリング組、クッションからなり、ベッド本体が分解し組み立てることができ、前記ベッド本体は支え脚、枠からなり、枠が支え脚に支えられ、その特徴としては：前記スプリング組は若干蛇状スプリングからなり、枠の内側に固定ブロックを設け、蛇状スプリングが分解して固定ブロックにフックできる；使用する時にベッド本体を張り上げ、スプリングが取り外してベッド本体に取り付けることができ、クッションをスプリング組に敷く。
【００２７】
本技術案を背景技術に比べて、次のようなメリットがある：
【００２８】
1．ベッド本体、スプリング、クッションが自由に分解し組み立て繰り返して操作でき、梱包体積を減らし、自動車のトランクに入れられ、携帯に便利である。ベッド本体がスプリング組を支え、湿気を避ける。スプリング組、クッションが柔らかくて、睡眠の快適感を増やす。
【００２９】
2．クッションカバーがスプリング組の上にあり、フックやマジックテープを使ってクッションを固定し、快適感を増やす。
【００３０】
3．枠の頂面にリミットブロックを設け、リミットブロックの両側にはそれぞれ内側に曲げてフック部となり、フック部がクロスバーを引っかけて、分解や組み立てに便利である。
【００３１】
4．このクッションの底層にはスポンジが付けられ、クッションの柔軟度を増やす。
【００３２】
5.  前記スプリング組は若干蛇状スプリングからなり、蛇状スプリングは面積広くて、平らで、しかもフック繋ぎに便利である。
【図面の簡単な説明】
【００３３】
次には、付図と実施例と結びつけて、本発明について更に説明する。
図1では、本発明の繰り返して分解し組み立てられるポータブルスプリングベッドの第一実施例の立体見取り図である。
図2では、図1で示す繰り返して分解し組み立てられるポータブルスプリングベッドの立体分解見取り図である。
図3では、図1で示した分解し組み立てられるポータブルスプ
リング  ベッドのスプリングと固定ブロックとの繋げる見取り図である。
図4では、図1で示した分解し組み立てられるポータブルスプリングベッドが梱包状態での見取り図である。
図5では、本発明の分解し組み立てられるポータブルスプリングベッドの第二実施例におけるスプリングと固定ブロックとの繋げる見取り図である。
図6では、本発明の分解し組み立てられるポータブルスプリングベッドの第二実施例におけるスプリングと固定ブロックとの繋げる見取り図である。
図７では、本発明の分解し組み立てられるポータブルスプリングベッドの第三実施例におけるベッド本体の見取り図である。
図8では、本発明の分解し組み立てられるポータブルスプリングベッドの第四実施例におけるベッド本体の見取り図である。
図９では、本発明の分解し組み立てられるポータブルスプリングベッドの第四実施例におけるスプリングと固定ブロックとの繋げる見取り図である。
図10では、本発明の分解し組み立てられるポータブルスプリングベッドの第五実施例におけるスプリングと固定ブロックとの繋げる見取り図である。
図11では、本発明の分解し組み立てられるポータブルスプリングベッドの第五実施例におけるスプリング組とベッド本体との繋げる見取り図である。
図12では、本発明の分解し組み立てられるポータブルスプリングベッドの第五実施例におけるスプリングを積み重ねる取り図である。
図13では、本発明の分解し組み立てられるポータブルスプリングベッドの第六実施例におけるスプリングとプラスチック板との繋げる見取り図である。
図14では、本発明の分解し組み立てられるポータブルスプリングベッドの第六実施例におけるベッド本体とプラスチック板との繋げる見取り図である。
図15では、本発明の分解し組み立てられるポータブルスプリングベッドの第七実施例におけるベッド本体とプラスチック板の見取り図である。
図16では、本発明の分解し組み立てられるポータブルスプリングベッドの第七実施例におけるスプリングと固定ブロックとの繋げる見取り図である。
図17では、本発明の分解し組み立てられるポータブルスプリングベッドの第八実施例におけるスプリングと固定ブロックとの繋げる見取り図である。
図18では、本発明の分解し組み立てられるポータブルスプリングベッドの第八実施例におけるベッド本体と固定ブロックとの繋げる見取り図である。
図19では、本発明の分解し組み立てられるポータブルスプリングベッドの第九実施例における分解見取り図である。
図20では、本発明の分解し組み立てられるポータブルスプリングベッドの第九実施例におけるスプリングを積み重ねて置く見取り図である。
【発明を実施するための形態】
【００３４】
実施例一
図１から図4を参照し、本発明は分解し組み立てられるポータブルスプリングベッドで、ベッド本体20、スプリング42、クッション60をからなる。ベッド本体20が分解し組み立てることができ、使用する時にベッド本体20を張り上げ、スプリング組40をベッド本体に取り付け、クッション60をスプリング組40の上に敷き、これでベッドの組み合わせを完了する。梱包状態では、スプリングを取り外して重ね合わせば一つのスプリング組にし、または一つのスプリング組40を取り外し、ベッド本体も取り外して幾つのユニットにし、スプリング組、ベッド本体ユニット、クッション三者を組み合わせて梱包あるいはそれぞれ個別的に梱包ことができる。
【００３５】
前記スプリング組40は若干スプリング42からなり、一組のスプリングをクロスバーで26に固定しても良いが、クロスバー26がベッド本体のその他のユニットと分離されている。
【００３６】
前記ベッド本体は若干支え脚22、若干枠24、および若干クロスバー26からなる。
枠24が支え脚22より支えられている。これらクロスバー26を平行的に間隔して二
本枠24の間に架けている。クロスバー26の両側の端部にはそれぞれ挿し繋げる部262を設け、挿し繋げる部262を枠24と差し繋げる。
【００３７】
隣接する二本クロスバー26の間に若干固定ブロック10を設け、前記スプリング42が取り外して固定ブロック10に取り付けるこができる。前記固定ブロックは対称設置される2つのスナップフィット端子12からなり、前記スナップフィット端子12でスプリング端子42の底部を抑える。固定ブロック10の2つのスナップフィット端子12が一体となって隣接する二本クロスバー26に架ける。固定ブロック10の2つのスナップフィット端子12の同じ一方にスロット122を設け、スロット122が弧状である。使用する時に、スプリング42を押してその底部の1輪をスロット122にいれば結構である。
【００３８】
このクッション60の底部にはスポンジ62が付けられている。使用する時にベッド本体20を張り上げ、スプリング42が取り外してベッド本体20に取り付けることができ、クッションカバー62がスプリング組40の上にあり、使用する時に、フックやマジックテープでクッション60を固定する。
【００３９】
実施例二
図5を参照し、実施例二と実施例一の区別としては：固定ブロック10aの2つスナップフィット端子12がそれぞれ設置され、そしてそれぞれ独立的に隣接の二本クロスバー26に固定され、クロスバー26を平行して間隔的に二本枠24の間に架けている。
【００４０】
実施例三
図6と図7を参照し、実施例三と実施例二の区別としては：前記枠24の頂面にリミットブロック242を設け、リミットブロック242の両側にそれぞれ内側に曲げてフック部244となり、一緒に固定される二本クロスバー26がちょうどフック部244の間に嵌めこまれ、フック部244でクロスバー26 を引っかける；スロット122bがJ形状を呈し、直線セクションと弧線セクションを含み、従ってスプリング42が側面からプッシュされてスロット122bとスナップフィットする。
【００４１】
実施例四
図8と図9を参照し、実施例四と実施例一の区別としては：固定ブロック10cが一本クロスバー26に固定され、固定ブロック10cのスナップフィット端子の外側にスプリングをフックする弧状スロット124を設けている。取り付ける時に、スプリング42で固定ブロック10cを巻きつけ、スプリング42の底部の一圏を弧状スロット124内に挟み、梱包する時に、各スプリングを外して、または一本クロスバー26に固定されているスプリング組全体をベッドのその他の部品と分離し、スプリング組全体を組み合わせて梱包し貯蔵及び運輸する。
【００４２】
実施例五
図10から図12を参照し、実施例五と実施例四の区別としては：固定ブロック10dは中部が凹む円形の凸台状で、固定ブロック10dの外部表面に止め輪14を設け、スプリング42dが取り外して固定ブロック10dと螺着でき、前記止め輪14がスプリング42dの底部を引っ掛ける。梱包する時に、スプリング42dを一緒に嵌めることができる。
【００４３】
実施例六
図13と図14を参照し、実施例六と実施例一の区別としては：また若干プラスチック板80を含み、プラスチック板80をベッド本体20の上に敷き、プラスチック板80がクロスバー26の上に架け、プラスチック板80には若干凹み82があり、スプリング42を取り外して凹み82内にスナップフィットするでき、優先的に、凹み82の側壁に筋状凸部を設けてスプリング42を押すことができる。前記プラスチック板80は、多く組み合わせることができる。
【００４４】
実施例七
図15と図16を参照し、実施例七と実施例一の区別としては：ベッド本体20fは若干支え脚22と若干枠24からなる；また若干平板90を含み、平板90を枠24の上に敷き、固定ブロック10を平板90に固定して繋げる。取り付ける時に、スプリング42取り外して固定ブロック10とスナップフィットすることができる。
【００４５】
実施例八
図17と図18を参照し、実施例八と実施例一の区別としては：ベッド本体20gは若干支え脚22、若干枠24やワイヤー網からなり、前記ワイヤー網は若干ワイヤー28からなり、ワイヤー28を二本枠24の間に架け、ワイヤー28の端部が下へ折り曲げて繋ぎセクション282となり、前記繋ぎセクション282を枠24内に挿入する；二本ワイヤー28の間に若干固定ブロック10gを設け、スプリング42が固定ブロック10gを巻きつけて、スプリング42が取り外し固定ブロック10gとスナップフィットすることができる。
【００４６】
実施例九
図19と図20を参照し、実施例九と実施例一の区別としては：ベッド本体20hは若干支え脚22と若干枠24からなり、固定ブロック10hがフック状を呈して枠24の内側に固定し繋げている；スプリング組は若干蛇状スプリング44からなり、蛇状スプリング44を取り外して固定ブロック10hにフックして繋げる、蛇状スプリング44の両端にそれぞれ両サイドの枠24における固定ブロック10hにフックして繋げる。梱包する時に、これらの蛇状スプリング44を規則的に積み重ねる。
【００４７】
上記述べたように、本発明における比較的良い実施例だけで、従って上記によって本発明の実施範囲を限定できなく、すなわち本発明の特許範囲や説明書の内容に書かれる同等効果変化と装飾により、全ては依然として本発明でカバーされる範囲に属される。
（工業実用性）
【００４８】
本発明におけるベッド本体、スプリング、クッションは自由に分解して取り付けて繰り返して操作でき、梱包体積を減らし、自動車のトランクに入れられて、携帯に便利である。ベッド本体がスプリング組を支え、湿気を避けされる。スプリング組、クッションが柔らかくて、睡眠の快適感を増やす。
【図１】
2017532183.tif 000003
【図２】
2017532183.tif 000004
【図３】
2017532183.tif 000005
【図４】
2017532183.tif 000006
【図５】
2017532183.tif 000007
【図６】
2017532183.tif 000008
【図７】
2017532183.tif 000009
【図８】
2017532183.tif 000010
【図９】
2017532183.tif 000011
【図１０】
2017532183.tif 000012
【図１１】
2017532183.tif 000013
【図１２】
2017532183.tif 000014
【図１３】
2017532183.tif 000015
【図１４】
2017532183.tif 000016
【図１５】
2017532183.tif 000017
【図１６】
2017532183.tif 000018
【図１７】
2017532183.tif 000019
【図１８】
2017532183.tif 000020
【図１９】
2017532183.tif 000021
【図２０】
2017532183.tif 000022
【国際調査報告】
2017532183.tif 000023
2017532183.tif 000024
2017532183.tif 000025
2017532183.tif 000026
2017532183.tif 000027
2017532183.tif 000028